(57)【要約】【課題】  雑音防止用コンデンサの消費電力の削減を行うスイッチの接点の開閉状態を検知する開閉検知手段について、加熱動作時以外は電力消費を抑制する加熱調理器を提供すること。【解決手段】  加熱手段への電源供給線の途中に設けた第１のスイッチと、第１のスイッチより電源側の電源供給線と第１のスイッチが設けられていない他の電源供給線との間に設けた第２のスイッチとコンデンサの直列回路と、前記第１のスイッチが開から閉となると電源が供給される開閉検知手段とを備え、前記開閉検知手段は前記第１のスイッチが開から閉となった後に前記第２のスイッチの接点の開閉状態を検知することで、消費電力を抑えることができる。【選択図】  図１
2005050721.tif 000002
【特許請求の範囲】
【請求項１】
加熱手段と、前記加熱手段に電源を供給する２本以上の電源供給線と、前記電源供給線の途中に設けた第１のスイッチと、前記第１のスイッチの電源側とこの第１のスイッチが設けられていない他の電源供給線との間に配線して設けた第２のスイッチとコンデンサの直列回路と、前記第１のスイッチが開から閉となると電源が供給される開閉検知手段とを備え、前記開閉検知手段は、前記第１のスイッチが開から閉となった後に前記第２のスイッチの接点の開閉状態を検知する加熱調理器。
【請求項２】
第３のスイッチと、開閉検知手段へ電源を供給する電源回路とを備え、前記第３のスイッチは第１のスイッチよりも電源側の前記電源供給線と電気的に接続され、他端を前記電源回路の入力端子に接続され、前記開閉検知手段は、前記第１のスイッチ、または前記第３のスイッチが開から閉となると電源が供給されて第２のスイッチの接点の開閉状態を検知する請求項１に記載の加熱調理器。
【請求項３】
第２のスイッチの一端は、第１のスイッチが設けられている電源供給線の電源側に接続され、他端はコンデンサの一端と開閉検知手段の入力段の一端に接続され、前記コンデンサの他端は、第１のスイッチが設けられていない電源供給線に接続され、開閉検知手段の入力段の他端は、全波整流器の出力の低電位側、もしくは前記コンデンサの他端が接続されている電源供給線に接続され、前記コンデンサに蓄積された電荷の放電回路を備え、前記第１のスイッチと前記第２のスイッチが開の状態では開閉検知回路の入力段での電力消費を抑制する構成とした請求項１または２に記載の加熱調理器。
【請求項４】
前記開閉検知手段の入力段は発光素子で構成され、第２のスイッチと直列に発光素子を接続し、第１のスイッチが開から閉となった後に第２のスイッチの開閉状態を検知する請求項１または２に記載の加熱調理器。
【請求項５】
前記発光手段は逆導通ダイオードと並列に接続され、前記発光手段と逆導通ダイオードの並列回路は抵抗と直列に接続されて放電回路を構成し、前記放電回路は前記コンデンサと並列に接続して充電された電荷を放電する機能を兼ね備えた開閉検知手段の入力段とした請求項４に記載の加熱調理器。
【請求項６】
第１のスイッチが閉から開とした後に第２のスイッチを閉から開とする制御を行い、その後で第３のスイッチを閉から開とする構成を有し、前記第１のスイッチが閉から開となり第３のスイッチを経由して開閉検知手段に電源が供給されているときに、前記第２のスイッチが閉のままであれば前記第２のスイッチの接点が溶着していることを検知する請求項２から５のいずれか１項に記載の加熱調理器。
【請求項７】
報知手段を備え、第２のスイッチの駆動状態と接点の開閉状態が異なることを検知した場合には、報知手段によって使用者に異常を報知する請求項１〜８のいずれか１項に記載の加熱調理器。
【請求項８】
報知手段によって第２のスイッチの接点が異常状態であることを継続して報知するために第３のスイッチを閉のままとする請求項２〜７のいずれか１項に記載の加熱調理器。
【請求項９】
不揮発性メモリーを備え、前記不揮発性メモリーに接点異常情報を記憶した後に第３のスイッチを開とする請求項２〜８のいずれか１項に記載の加熱調理器。
【請求項１０】
第２のスイッチの駆動状態と接点の開閉状態が一致していても不揮発性メモリーの記録による接点異常の報知が可能な請求項１〜９のいずれか１項に記載の加熱調理器。
【発明の詳細な説明】
【技術分野】
【０００１】
本発明は、インバータに代表される高周波雑音源を有し、電源線から機器外への漏洩を防ぐ濾波回路の必要な加熱調理器に関する。
【背景技術】
【０００２】
従来、リレーなどの接点の開閉検知手段を備えた機器として、例えば、図２に示すような構成を有する加熱機器がある（例えば特許文献１参照）。図２において、２０は商用電源、２１は第１のスイッチ、２２は整流器、２３は加熱手段で、第１のスイッチ２１の開閉により、加熱手段２３への電力供給が制御される。
【０００３】
２４はフィルタリレー（第２のスイッチ）、２５は雑防コンデンサ、２６はコモンモードコイルで、フィルタリレー２４が閉の時に、雑防コンデンサ２５とコモンモードコイル２６とで濾波回路が構成される。
【０００４】
２７は第２の開閉検知手段で、何れのスイッチも介さずに、常に商用電源２０に接続された電源回路２９から電源を供給されて、フィルタリレー２４の接点の開閉状態を常時検知している。
【０００５】
２８は放電抵抗で、電源プラグ３２を商用電源２０から外した際に、雑防コンデンサ２５に蓄積している電荷を放電して、電源プラグ端子３２ａ、３２ｂに人体が触れた場合の安全性を確保している。
【０００６】
３１は制御手段で、３１ａの加熱制御手段、３１ｂの第１の開閉検知手段、３１ｃのリレー駆動手段を構成要素に含んでおり、電源回路２９から電源を供給されている。
【０００７】
加熱制御手段３１ａは第１の開閉検知回路３１ｂから出力される検知情報と、第２の開閉検知回路２７から出力される検知情報が入力され、リレー駆動手段３１ｃへとリレー駆動信号を出力するとともに、加熱手段２３の加熱動作を制御する。
【０００８】
第１の開閉検知手段３１ｂは第１のスイッチ２１の開閉状態を検知して、検知結果を加熱制御手段３１ａへと出力し、リレー駆動手段３１ｃは加熱制御手段３１ａからの制御信号によってフィルタリレー２４を駆動する。
【０００９】
上記従来の開閉検知手段を備えた加熱機器の動作を以下に説明する。
【００１０】
商用電源２０から電源プラグ３２に電力が供給されると、電源回路２９は第１のスイッチ２１、フィルタリレー（第２のスイッチ）２４の開閉状態に関わらず、約５Ｖの出力電源を発生して、第２の開閉検知手段２７と制御手段３１へと電源を供給する。
【００１１】
第１のスイッチ２１を使用者が閉とすると、第１の開閉検知手段３１ｂが第１のスイッチ２１の接点状態が開から閉に変わったことを検知して加熱制御手段３１ａへと接点情報を出力するため、加熱制御手段３１ａは第１のスイッチ２１の接点が閉となった事を認識する。
【００１２】
加熱制御手段３１ａは、第１のスイッチ２１の接点が閉状態であることを認識すると、リレー駆動手段３１ｃへと信号を出力してフィルタリレー２４の接点を閉として、加熱を開始しても商用電源へとノイズが漏洩しないように濾波回路を形成してスタンバイ状態となる。
【００１３】
制御手段３１には使用者が容易に操作できる加熱入切スイッチ（図示せず）が設けられており、前記スタンバイ状態で前記加熱入切スイッチを入にすると加熱制御手段３１ａが加熱手段２３の加熱動作を開始する。
【００１４】
加熱動作中、前記加熱入切スイッチを切とすると、加熱制御手段３１ａが加熱手段２３の加熱動作を停止して、さらに、第１のスイッチ２１の接点が開である信号が第１の開閉検知手段３１ｂから入力されると、フィルタリレー２４の接点を開く信号をリレー駆動手段３１ｃへと出力し、濾波回路を解体する。
【００１５】
以上のように、従来の回路構成では、第１のスイッチ２１やフィルタリレー（第２のスイッチ）２４といったスイッチの接点の開閉検知を行う場合、接点の開閉状態に関わらず、開閉検知手段（第１の開閉検知手段３１ｂ、第２の開閉検知手段２７）には、電源回路２９から常に電力が供給され、開閉検知手段からの検知情報によって加熱動作の停止、あるいは異常状態の報知といった制御を行っている。
【特許文献１】特開平７−１６４００号公報
【発明の開示】
【発明が解決しようとする課題】
【００１６】
しかしながら、前記従来の技術では、常時、第２のスイッチの接点の開閉状態を検知しているため、第２の開閉検知手段２７などの制御回路によって常時電力を消費していた。
【００１７】
本発明は、スイッチの開閉によって雑音防止用コンデンサの消費電力の削減を行うとともに、前記スイッチの接点について開閉状態を検知する開閉検知手段についても、加熱動作時以外は電力消費を抑制することを課題とする。
【課題を解決するための手段】
【００１８】
前記従来の課題を解決するために、本発明の加熱調理器は、加熱手段と、加熱手段に電源を供給する２本以上の電源供給線と、前記電源供給線の途中に設けた第１のスイッチと、前記第１のスイッチより電源側の電源供給線と第１のスイッチが設けられていない他の電源供給線との間に設けた第２のスイッチとコンデンサの直列回路と、前記第１のスイッチが開から閉となると電源が供給される開閉検知手段とを備え、前記開閉検知手段は前記第１のスイッチが開の時には前記第２のスイッチについて接点の開閉状態を検知せずに、前記第１のスイッチが開から閉となった後に前記第２のスイッチについて接点の開閉状態を検知するようにしたものである。
【００１９】
これにより、第１のスイッチによって濾波回路を除く全回路の消費電力を抑制し、第２のスイッチによって濾波回路を形成する雑音抑制用に備えたコンデンサの消費電力を抑制することができ、かつ、第１のスイッチが開から閉となって加熱手段に電源が供給されると、第２のスイッチの開閉状態を検知する必要があり、第１のスイッチが閉となると第２のスイッチの接点の開閉検知が可能となる加熱調理器が得られる。
【発明の効果】
【００２０】
以上のように、本発明によれば、雑音防止用コンデンサを電源供給線間に接続あるいは遮断するスイッチについて、接点の開閉状態を検知する検知手段によって消費される電力の低減を行うことができる。
【発明を実施するための最良の形態】
【００２１】
請求項１に記載の発明は、加熱手段と、加熱手段に電源を供給する２本以上の電源供給線と、前記電源供給線の途中に１個以上設けた第１のスイッチと、前記第１のスイッチより電源側の電源供給線と第１のスイッチが設けられていない他の電源供給線との間に設けた第２のスイッチとコンデンサの直列回路と、前記第１のスイッチが開から閉となると電源が供給される開閉検知手段とを備え、前記開閉検知手段は前記第１のスイッチが開から閉となった後に前記第２のスイッチの接点の開閉状態を検知する構成とするものである。
【００２２】
これにより第１のスイッチの接点が開である場合には、第２のスイッチの接点が開か閉のいずれであるかといった検知は行われずに、第１のスイッチが開から閉となり開閉検知回路へと電力が供給された後に検知を開始するとともに、第１のスイッチを閉から開として濾波回路を除く全回路の消費電力を抑制し、第２のスイッチを閉から開として雑音防止用に備えたコンデンサの消費電力を抑制することができる。
【００２３】
請求項２に記載の発明は、請求項１記載の構成に加えて、第１のスイッチより電源側の電源供給線に一端を接続され、第１のスイッチを経由して開閉検知手段へと電源を供給する経路に他端を接続された第３のスイッチを備え、前記開閉検知手段は、前記第１のスイッチ、または前記第３のスイッチが開から閉となると電源が供給されて第２のスイッチの接点の開閉状態を検知するものである。
【００２４】
これにより、第１のスイッチが開から閉となった後、第３のスイッチも開から閉となって開閉検知手段へと電力を供給することで、第１のスイッチが開から閉となった後で即座に閉から開となっても、第３のスイッチによって開閉検知手段へと電力が継続して供給され、開閉検知手段による第２のスイッチの開閉検知動作が電源遮断によって途中で停止することなく安定してなされるため、開閉検知手段の誤判定を防ぐとともに、第２のスイッチの開閉動作についても回数を減らすことが可能となり、接点寿命を長くすることができる。
【００２５】
請求項３に記載の発明は、第２のスイッチの一端は第１のスイッチが設けられている電源供給線の電源側に、他端はコンデンサの一端と開閉検知手段の入力段の一端とに接続され、前記コンデンサの他端は第１のスイッチが設けられていない電源供給線に、前記開閉検知手段の入力段の他端は全波整流器の出力の低電位側、もしくは前記コンデンサの他端が接続されている電源供給線に接続されるとともに、前記コンデンサに蓄積された電荷の放電回路を備え、前記第１のスイッチと前記第２のスイッチが開の状態では開閉検知回路の入力段での電力消費を抑制する構成とするものである。
【００２６】
これにより、第１のスイッチと第２のスイッチの接点が開である場合には、電源供給線を渡る回路は構成されず、電力の消費は発生しない。
【００２７】
請求項４に記載の発明は、開閉検知手段の入力段は発光素子で構成され、第２のスイッチと直列に発光素子を接続する構成とするものである。
【００２８】
これにより、第１のスイッチが開から閉となった後に第２のスイッチの開閉状態を検知する場合に於いて、光信号によって接点情報を送信するため、濾波回路よりも電源側の電源供給線に接続しても、伝導ノイズの伝搬も少なく外来ノイズの進入も防ぐことができる。
【００２９】
請求項５に記載の発明は、請求項４に記載の発光手段は逆導通ダイオードと並列に接続され、前記発光手段と逆導通ダイオードの並列回路は抵抗と直列に接続されて放電回路を構成し、前記放電回路は前記コンデンサと並列に接続して、充電された電荷を放電する機能を兼ね備えた開閉検知手段の入力段の構成とするものである。
【００３０】
これにより、電源プラグを抜いた後で、制御回路を駆動する電源回路に蓄積された電荷によって第２のスイッチの接点が閉じていても、前記コンデンサに充電された電荷は前記放電回路で放電されるため、電源プラグ端子間の電圧を低下することができる。
【００３１】
請求項６記載の発明は、第１のスイッチが閉から開とした後に第２のスイッチを閉から開とする制御を行い、その後で第３のスイッチを閉から開とする構成において、第１のスイッチが閉から開となり第３のスイッチを経由して開閉検知手段に電源が供給されている場合に、第２のスイッチが閉のままであれば接点が溶着していることを検知するものである。
【００３２】
これにより、溶着を検知した後に継続して接点を乖離する電気信号を出力するといった接点異常に対応した処理を行うことができる。
【００３３】
請求項７記載の発明は、報知手段を備え、第２のスイッチの駆動状態と接点の開閉状態が異なることを検知した場合には、表示が変化、あるいは音が発生する報知手段によって使用者に異常を報知する構成とするものである。
【００３４】
これにより、使用者が第２のスイッチが異常状態で、待機電力が増加していることを認識することができる。
【００３５】
請求項８記載の発明は、報知手段によって第２のスイッチの接点が異常状態であることを継続して報知するために第３のスイッチを閉のままとする構成とするものである。
【００３６】
これにより、使用者が第１のスイッチを開として加熱停止した後でも、第２のスイッチが異常状態で待機電力が増加していることを認識することができる。
【００３７】
請求項９記載の発明は、不揮発性メモリーを備え、前記不揮発性メモリーに接点異常情報を記憶した後に第３のスイッチを開とする構成とするものである。これにより、第２のスイッチの接点情報を所定時間だけ報知した後に、開閉検知手段への電源供給を停止しても、第１のスイッチが閉となり電源供給されることで、再度、報知開始することができる。
【００３８】
請求項１０記載の発明は、不揮発性メモリーを備え、第２スイッチの駆動状態と接点の開閉状態が一致していても、前記不揮発性メモリーに記憶された接点異常情報を報知可能とする構成とするものである。
【００３９】
これにより、故障状況を確認したい場合には、不揮発性メモリーの記録を呼び出して表示し、通常使用する場合には以上表示せず、通常の調理を可能とすることができる。
【００４０】
（実施の形態１）
以下本発明の実施例について、図面を参照しながら説明する。図１は高周波磁界で被加熱鍋等を加熱するための誘導加熱コイルを有する誘導加熱調理器の回路ブロック図である。
【００４１】
図１において、商用電源２０は電源プラグ３２の電源プラグ端子３２ａと他の電源プラグ端子３２ｂを介して誘導加熱調理器に接続される。電源プラグ端子３２ａには、コモンモードコイル２６を介して使用者が容易に操作できる第１のスイッチである電源スイッチ２１に接続され、電源スイッチ２１の負荷側接点２１ｂには、全波整流器２２の入力端子、第１の開閉検知手段３１ｂ、及び電源回路２９を構成するダイオード２９ａが接続される。他方の電源プラグ端子３２ｂは、コモンモードコイル２６を介して全波整流器２２の入力端子へ接続される。前記構成により全波整流器２２の入力端子に電源が供給され、全波整流器２２からの出力は加熱手段であるインバータ２３に供給される。
【００４２】
また、電源プラグ端子３２ａ、３２ｂの間には、第２のスイッチであるフィルタリレー２４の接点端子と雑防コンデンサ２５の直列回路が接続される。２８は雑防コンデンサ２５に電気的に並列接続された放電抵抗、２７は第２の開閉検知手段でフィルタリレー２４の開閉検知を行う。２７ａは第２の開閉検知手段２７を構成する第１の入力部で、一端を雑防コンデンサ２５の一端と接続し、他端を全波整流器２２の低電位側出力端子と接続している。２７ｂは第２の開閉検知手段２７を構成する第２の発光側入力部で、発光手段と逆導通ダイオードの並列回路から構成され、２７ｃに示した第２の開閉検知手段２７を構成する第２の受光側入力部へと接点情報を光信号により出力している。
【００４３】
さらに、電源スイッチ２１の電源側接点２１ａには第３のスイッチである制御電源リレー３０が接続され、電源回路２９を構成するダイオード２９ｅに接続され、電源スイッチ２１が開で制御電源リレー３０が閉の場合には、電源回路２９へと制御電源リレー３０を介して電力が供給される。この際、加熱手段であるインバータ２３へはダイオード２９ａ、２９ｅによって遮断されるため電力供給が為されない。
【００４４】
制御手段３１と第２の開閉検知手段２７とは、制御電源２９より電源供給を受ける。加熱制御手段３１ａは、使用者がインバータ２３による加熱動作を操作できる加熱スイッチ３１ｆ、およびフィルタリレー２４の開閉検知手段２７の検知結果に基づいてフィルタリレー２４の接点状態を報知する報知手段３１ｅが備えられている。加熱制御手段３１ａは電源スイッチ２１の接点状態を検知する第１の開閉検知手段３１ｂ、およびフィルタリレー２４の接点状態を検知する第２の開閉検知手段２７からの信号入力に応じてインバータ２３の加熱動作を制御する。
【００４５】
以上のように構成された加熱調理器についてその動作を説明する。電源プラグ３２が商用電源２０に接続されても、電源スイッチ２１が開であれば電源回路２９、インバータ２３には電源供給されない。電源スイッチ２１を閉とすることにより、電源回路２９に電源が供給され、制御手段３１および第２の開閉検知手段２７は電源回路２９の約５Ｖの出力により動作を開始する。動作を開始すると、制御手段３１は電源スイッチ２１の接点状態を検知する第１の開閉検知手段３１ｂと、フィルタリレー２４の接点状態を検知する第２の開閉検知手段２７からの入力信号に基づき、以降の機器の動作を制御する。
【００４６】
制御手段３１は、第１の開閉検知手段３１ｂから電源スイッチ２１が閉である信号を受けて、制御電源リレー３０を閉とする信号をリレー駆動手段３１ｃへと出力し、制御電源リレー３０の接点状態を第３の開閉検知手段３１ｄからの信号により閉じていることを確認する。
【００４７】
加熱スイッチ３１ｆにより加熱開始が選択されると、加熱制御手段３１ａは第２の開閉検知手段２７からの信号によりフィルタリレー２４の接点が閉じていることを確認した後、インバータ２３への駆動信号を出力して加熱動作を開始させる。
【００４８】
フィルタリレー２４は、電源スイッチ２１が閉となった後、且つ前述した加熱動作前のタイミングで閉となり、雑防コンデンサ２５とコモンモードチョークコイル２６で形成される濾波回路でインバータ２３から伝播する雑音を抑制する。
【００４９】
インバータ２３が加熱動作中にフィルタリレー２４の接点が開となり、第２の開閉検知手段２７から加熱制御手段３１ａに接点が開である信号が入力されると、加熱制御手段３１ａは加熱動作を停止する。さらに、加熱制御手段３１ａはフィルタリレー２４の接点が開であることを報知手段３１ｅによって使用者へと報知する。加熱制御手段３１ａは、第２の開閉検知手段２７からフィルタリレー２４の接点が開状態である信号を検知している間は、加熱スイッチ３１ｆによる加熱開始信号を受け付けない。
【００５０】
第２の開閉検知手段２７から加熱制御手段３１ａに接点が閉である状態を示す信号が入力されると、加熱制御手段３１ａは加熱スイッチ３１ｆによる加熱開始信号を受け付けることを可能として、さらに、フィルタリレー２４の接点が開であることを使用者へと報知手段３１ｅによって報知する動作を停止する。
【００５１】
以上のように本実施例によれば、インバータ２３に電力を供給する電源供給線（電源プラグ端子３２ａから全波整流器２２に至る電源供給線）の途中に、第１のスイッチである電源スイッチ２１を設け、電源スイッチ２１よりも電源側の極性の異なる電源供給線間に第２のスイッチであるフィルタリレー２４と雑防コンデンサ２５の直列回路を接続し、フィルタリレー２４の接点を検知する第２の接点検知手段２７など制御回路への電力は電源スイッチ２１を閉とすることによって供給される。よって、電源スイッチ２１を閉から開とすることにより第２の開閉検知手段２７など制御回路で消費される電力も抑制することができるとともに、フィルタリレー２４の接点を閉から開として雑防コンデンサ２５、及び第２の開閉検知手段の入力段２７ａ、２７ｂで消費される電力を抑制することができる。
【００５２】
また、電源スイッチ２１の電源側の接点２１ａに一端を接続された制御電源リレー３０の他端は、第２の開閉検知手段２７といった制御回路へ電力を供給する電源回路２９へと接続され、電源スイッチ２１、あるいは制御電源リレー３０の接点が閉であれば、第２の開閉検知手段２７へと電源回路２９から電源が供給されて、第２のスイッチの接点状態を検知することができる。よって、電源スイッチ２１が開から閉となった後、即座に閉から開となっても、制御電源リレー３０によって第２の開閉検知手段２７といった制御回路へと電力が継続して供給されるため、検知動作が電源遮断によって途中で停止することなく安定して動作し、誤検知を防ぐとともに、第２のスイッチの開閉動作についても回数を減らすことが可能となり、接点寿命を長くすることができる。さらに、電源スイッチ２１、フィルタリレー２４、制御電源リレー３０の接点を全て開とすることにより、消費電力を抑える事ができる。
【００５３】
また、フィルタリレー２４の一方の接点２４ａは電源スイッチ２１が設けられた電源供給線に接続され、フィルタリレー２４の他方の接点２４ｂは雑防コンデンサ２５と第２の開閉検知手段２７の入力段２７ａ、２７ｂに接続されている。第１の入力部２７ａは他端を全波整流器２２の低電位側出力に接続され、第２の発光側入力部２７ｂは電源スイッチ２１が設けられていない電源供給線に接続されている。よって、電源スイッチ２１とフィルタリレー２４の接点が開の場合には、雑防コンデンサ２５と第２の開閉検知手段２７の入力段２７ａ、２７ｂで消費される電力を抑制することが可能となる。
【００５４】
また、第２の開閉検知手段２７を構成する第２の発光側入力部２７ｂに示すように、開閉検知手段の入力段を発光素子で構成して、且つ、フィルタリレー２４と直列に接続して接点状態を光信号によって伝達する。よって、コモンモードコイル２６といった濾波回路よりも電源側の電源供給線に接続して接点検知を行っても、商用電源へと伝搬するノイズの伝導を防ぐことができるとともに、商用電源から進入する外来ノイズによる誤検知を防ぐことが可能となる。
【００５５】
また、第２の開閉検知手段２７を構成する第２の発光側入力部２７ｂは、図に示すように発光素子と逆導通ダイオードの並列回路より構成され、第２の発光側入力部２７ｂと放電抵抗２８は直列に接続されて、雑防コンデンサ２５の放電回路を形成する。よって、電源プラグ３２を商用電源２０から外した直後に、電源回路２９に蓄積された電荷によってフィルタリレー２４の接点が閉であっても雑防コンデンサ２５に充電された電荷を瞬時に放電できるため、電源プラグ端子間の電圧を即座に低下することが可能となる。
【００５６】
また、電源スイッチ２１とフィルタリレー２４と制御電源リレー３０とが閉じている状態から、電源スイッチ２１を開いた後にフィルタリレー２４を開く制御を行い、第２の開閉検知手段２７によって接点が開いた状態であることを検知した後で、制御電源リレー３０を開く制御を行う。よって、フィルタリレー２４の接点が閉じた状態のままであれば、制御電源リレー３０の接点を開かずに接点を乖離する電気信号を出力するなど、接点異常に対応した制御動作が可能となる。
【００５７】
また、加熱制御手段３１ａは報知手段３１ｅを備え、フィルタリレー２４の接点が異常であれば、報知手段３１ｅによって使用者に接点が異常であることを報知する。よって、使用者は、フィルタリレーの異常によって待機時の電力が増加する、あるいは加熱動作しないといった機器の状態であることを認識することができる。
【００５８】
また、フィルタリレー２４の接点が異常であれば、報知手段３１ｅによって使用者に接点が異常であることを報知している場合に、電源スイッチ２１が開となっても制御電源リレー３０が閉を継続することで、報知動作が継続可能となる。よって、使用者が電源スイッチ２１を閉から開として加熱動作を停止した場合でも、フィルタリレー２４の接点異常を連続して、あるいは所定時間だけ報知することが可能となる。
【００５９】
また、フィルタリレー２４の接点が異常であれば、不揮発性メモリー３１ｇに接点の異常情報を記憶した後に制御電源リレー３０の接点を開いて待機電力を抑制する制御が可能となる。よって、フィルタリレー２４の接点異常情報を所定時間だけ報知した後に、第２の開閉検知手段２７への電源供給を停止しても、電源スイッチ２１が閉となり電源供給が再開されることで、再度、異常状態を報知開始し、異常状態に対応して加熱スイッチ３１ｆによる加熱開始信号を受け付けないなどの制御ができる。
【００６０】
また、フィルタリレー２４の接点異常の情報が不揮発性メモリー３１ｇに記憶されている場合には、第２スイッチの駆動状態と接点の開閉状態が一致していても不揮発性メモリー３１ｇに記憶された接点異常の情報を報知可能とすることによって、例えば接点が溶着していても加熱動作を可能として、加熱動作中に接点が溶着していることを確認することができる。逆に、接点が閉じない故障である場合に、加熱動作をしなくとも電源スイッチ２１を閉じるだけで故障していることが認識可能となる。
【産業上の利用可能性】
【００６１】
以上のように、本発明にかかる加熱調理器は、加熱手段と電源とを接続あるいは遮断するスイッチと、雑音防止用コンデンサを電源供給線間に接続あるいは遮断するスイッチの接点の開閉状態を検知する手段を備え、前記検知手段によって消費される電力の低減を行うことが可能となるので、加熱手段にノイズを発生するインバータを備える可能性を有するアイロン、食器洗い乾燥機、給湯器などの、調理に限らず家事に利用される熱機器といった用途にも適用できる。
【図面の簡単な説明】
【００６２】
【図１】本発明の実施例における加熱調理器の回路ブロック図
【図２】従来の加熱調理器における回路ブロック図
【符号の説明】
【００６３】
２０  商用電源
２１  電源スイッチ（第１のスイッチ）
２２  全波整流器
２３  インバータ（加熱手段）
２４  フィルタリレー（第２のスイッチ）
２５  雑防コンデンサ
２６  コモンモードコイル
２７  第２の開閉検知手段
２７ａ  第１の入力部
２７ｂ  第２の発光側入力部
２８  放電抵抗
２９  電源回路
３０  制御電源リレー（第３のスイッチ）
３１  制御手段
３１ａ  加熱制御手段
３１ｂ  第１の開閉検知手段
３１ｃ  リレー駆動手段
３１ｄ  第３の開閉検知手段
３１ｅ  報知手段
３１ｆ  加熱スイッチ
３１ｇ  不揮発性メモリー
３２  電源プラグ
【図１】
2005050721.tif 000003
【図２】
2005050721.tif 000004